(57)【特許請求の範囲】
【請求項１】
金属線材を所定長さで切断して形成されており、長さ方向の中間部分に設けられた圧入部において合成樹脂製の端子保持具の端子保持孔に圧入されて組み付けられる基板用端子であって、
前記圧入部に軸直方向の鍛圧が施されて鍛圧面が形成されていると共に、鍛圧方向に直交する軸直方向の両側において外方へ突出する突出部が設けられている一方、
前記軸直方向の前記鍛圧により、前記鍛圧方向両側の各前記鍛圧面には、前記軸方向両端において前記鍛圧面に開口する一対の凹部が設けられており、且つ、
各前記凹部が各前記鍛圧面の幅方向全長に亘って直線的に延びて連続的に設けられている
ことを特徴とする基板用端子。
【発明の詳細な説明】
【技術分野】
【０００１】
本発明は、自動車の電気接続箱等に収容されたプリント基板回路に対して外部の電気回路を接続するために用いられる基板用端子に関し、特に、合成樹脂製の端子保持具に圧入保持されて用いられる金属線材からなる基板用端子に関するものである。
【背景技術】
【０００２】
従来から、自動車の電気接続箱等に収容されるプリント基板回路への電気部品の接続において、導電性の金属材からなる基板用端子が用いられている。このような基板用端子は、端子台座やコネクタハウジング等の合成樹脂製の端子保持具に貫通形成された端子保持孔に圧入されて保持される。そして、基板用端子の一端側がプリント基板回路の導電路に対して半田付けされると共に、他端側が外部電線端末に設けられたコネクタの接続端子等と嵌合接続されて、外部の電気回路がプリント基板回路に接続されるようになっている。
【０００３】
近年では、電気接続箱や電気部品の小型化、高密度化の要求に伴い、より断面積の小さな基板用端子を狭ピッチで配列して端子保持具に装着することが求められている。そこで、一定の小断面積で延びる金属線材を所定長さで切断することで、このような要求に対応できる基板用端子を歩留まりよく得ることが提案されている。例えば、特開２０００−２４３４９５号（特許文献１）に記載のものがそれである。
【０００４】
ところで、このような基板用端子と外部の接続端子との確実且つ安定した接続を実現するためには、端子保持具の端子保持孔に圧入された各基板用端子が端子保持具に対して強固に位置固定されて保持される必要がある。そこで、上記特許文献１の図４に示されるように、基板用端子の長さ方向（軸方向）の中間部分を長さ方向に直交する方向（軸直方向）で鍛圧して側方に突出させることにより複数の突起部を設けて、各突起部の突出端面と端子保持孔の両対向面を圧接させて、締まり嵌めにより固定する構造が提案されている。
【０００５】
ところが、金属線材からなる基板用端子は、その断面積が小さいことから、鍛圧により側方に突出する突起部の突出量を十分に得るには限界があった。それ故、突起部と端子保持孔の各対向面とのラップ代を十分に大きくすることが困難となり、各基板用端子の端子保持具への強固な位置固定が難しいという問題があった。なお、特許文献１に記載されているように、突起部を複数箇所に設けて位置固定の安定性を向上させることも考えられるが、鍛圧回数が多くなることから、製造工程が煩雑になり製造コストがかかるといった問題が生じていた。
【先行技術文献】
【特許文献】
【０００６】
【特許文献１】特開２０００−２４３４９５号公報
【発明の概要】
【発明が解決しようとする課題】
【０００７】
本発明は、上述の事情を背景に為されたものであって、その解決課題は、端子保持具の端子保持孔に対して圧接される突起部を、簡単な構造で十分な突出量をもって突出させることができる、新規な構造の基板用端子を提供することにある。
【課題を解決するための手段】
【０００８】
本発明の第一の態様は、金属線材を所定長さで切断して形成されており、長さ方向の中間部分に設けられた圧入部において合成樹脂製の端子保持具の端子保持孔に圧入されて組み付けられる基板用端子であって、前記圧入部に軸直方向の鍛圧が施されて鍛圧面が形成されていると共に、鍛圧方向に直交する軸直方向の両側において外方へ突出する突出部が設けられている一方、前記軸直方向の前記鍛圧により、前記鍛圧方向両側の各前記鍛圧面には、前記軸方向両端において前記鍛圧面に開口する一対の凹部が設けられており、且つ、各前記凹部が各前記鍛圧面の幅方向全長に亘って直線的に延びて連続的に設けられていることを特徴とする。
【０００９】
第一の態様によれば、鍛圧面に凹部が形成されることにより、凹部の体積に応じて突出部の突出量が大きくなる。このように、凹部の体積分が突出部の突出量の増加に寄与して、鍛圧による突出部の突出量が従来構造の基板用端子に比して増大することにより、突出部の先端面と端子保持具の端子保持孔の内面との接触圧が大きくなると共に、突出部が端子保持孔の内面に対して係止状態で圧接される。これにより、本態様の基板用端子では、突出部の先端面と端子保持孔の内面との間で作用する摩擦抵抗力の増大と、突出部の端子保持孔内面への係止とによって、端子保持孔からの引抜きに対する抗力が大きく確保される。その結果、基板用端子が端子保持具に対して所定の突出高さで安定して保持される。
【００１０】
しかも、凹部が鍛圧面に開口して形成されていることから、圧入部の鍛圧加工時に、凹部の形成を同時に行うことが出来る。それ故、鍛圧工程の回数を増やすことなく凹部を形成することが出来て、製造コストの増大を防ぐことが出来る。加えて、鍛圧面に凹部を形成するという極めて簡単な方法で、突出部の突出高さ寸法を容易に増大させることが出来る。
【００１３】
なお、上記本発明の第一の態様においては、前記軸直方向の前記鍛圧により、前記鍛圧方向両側の各前記鍛圧面には、前記軸方向両端において前記鍛圧面に開口する一対の凹部が設けられており、且つ、各前記凹部が各前記鍛圧面の幅方向全長に亘って直線的に延びて連続的に設けられている態様が、採用されている。
【００１４】
上記本発明の第一の態様によれば、鍛圧面の軸方向両端において前記鍛圧面に開口する一対の凹部を形成することで、凹部の体積に相当する金属材料を軸方向外方に逃すことなく突出部の軸直角方向外方への突出量に寄与させることが出来る。特に、線材によって形成される基板用端子においては鍛圧による軸方向への延出が問題となり易いが、本態様では、この軸方向への延出をより積極的に制限することによって、軸直方向への延出量をより効率的に増大させることが出来る。
【００１５】
また、上記本発明の第一の態様では、鍛圧方向両側の鍛圧面に対して、軸方向両端に凹部が設けられている。これにより、基板用端子を端子保持孔に圧入する際に発生するモーメントが低減乃至は防止されて、基板用端子の座屈変形が防止される。
【発明の効果】
【００１６】
本発明によれば、突出部と端子保持孔の各対向面とのラップ代が充分に大きく確保されて、端子保持具による安定した支持が実現される。しかも、上記効果は特別な加工工程を追加することなく実現されることから、製造工程の煩雑化とそれに伴う製造コストの増大を回避することも出来る。
【図面の簡単な説明】
【００１７】
【図１】本発明に従う構造を備えた基板用端子の第一の実施形態を示す斜視説明図。
【図２】図１のＩＩ矢視における部分拡大説面図。
【図３】図１のＩＩＩ矢視における部分拡大説明図。
【図４】図１に示された基板用端子を製造する際に実施される一工程例を示す説明図。
【図５】図１に示された基板用端子の基板への組付状態を示す斜視説明図。
【図６】図５のＶＩ−ＶＩ断面における部分拡大説明図。
【図７】図５のＶＩＩ−ＶＩＩ断面における部分拡大説明図。
【図８】本発明に従う構造を備えた基板用端子の第二の実施形態を示す斜視説明図。
【図９】図８のＩＸ矢視における部分拡大説明図。
【図１０】図９のＸ−Ｘ断面における拡大説明図。
【図１１】図９に示された基板用端子の基板への組付状態の断面を示す部分拡大説明図。
【発明を実施するための形態】
【００１８】
以下、本発明の実施形態について、図面を参照しつつ説明する。
【００１９】
先ず、図１には、本発明に従う構造を有する基板用端子の第一の実施形態として、自動車用電気接続箱内に収容されるプリント基板用の端子が、その斜視形態において示されている。図１から明らかなように、本実施形態の基板用端子１０は、全体として、細長い四角柱形状を有している。この基板用端子１０は、後述する合成樹脂製の端子保持具としての端子保持台座４８に設けられた端子保持孔５６と近似の形状で、且つ端子保持孔５６に圧入可能な程度の僅かに大きな矩形の軸直角断面形状を有する金属角線材を所定長さで切断してなる切断線材を用いて形成されている。そして、基板用端子１０は、かかる端子保持孔５６に圧入されることにより、端子保持台座４８に組み付けられて、保持されるようになっている（図５〜図７参照）。
【００２０】
より詳細には、基板用端子１０は、軸方向（長さ方向）一端側、即ち、端子保持孔５６への圧入方向の前端側の部分が、基板接続部１２とされており、その他端側、即ち、端子保持孔５６への圧入方向の後端側の部分が、コネクタ接続部１４とされている。基板接続部１２は、基板用端子１０が端子保持台座４８にて保持された状態下で、プリント基板４６上に配設された導電路６６に半田付けにより固着されて、電気的に接続される部分を有している（図６及び図７参照）。コネクタ接続部１４は、基板用端子１０が端子保持台座４８にて保持された状態下で、相手コネクタの電気接触部（図示せず）と電気的に接続される部分を有している。なお、以下の説明において、基板用端子１０の基板接続部１２側を圧入方向前端側と言い、基板用端子１０のコネクタ接続部１４側を圧入方向後端側と言うこととする。
【００２１】
それら基板接続部１２の先端部（圧入方向前端部）とコネクタ接続部１４の先端部（圧入方向後端部）には、先端に向かって細くなる四角錐台形状の先細り部１６，１６が形成されている。これにより、後述する如き端子保持台座４８の端子保持孔５６への基板用端子１０の挿入操作が、よりスムーズに実施され得るようになっている。なお、それら各先細り部１６，１６は、例えば、基板接続部１２とコネクタ接続部１４のそれぞれの先端部に対して、それら各先端部を圧縮する鍛造加工等を施すことにより、容易に形成される。
【００２２】
また、基板接続部１２とコネクタ接続部１４は、先細り部１６，１６を除く、基板用端子１０の中間部側に位置する部分に対して、何等の加工も施されていない。そのため、基板接続部１２とコネクタ接続部１４の先細り部１６，１６以外の部分は、その軸直角断面形状が、それぞれ、端子保持孔５６と近似の形状で且つ端子保持孔５６に圧入可能な程度の僅かに大きな矩形断面形状とされている。
【００２３】
基板用端子１０の基板接続部１２とコネクタ接続部１４の間に挟まれた軸方向中間部分は、組付部１８とされている。この組付部１８は、圧入部２０を有し、また、圧入部２０から圧入方向後端側に所定寸法だけ離間した部分には、二つの当接突起２２，２２が一体形成されている。
【００２４】
図２及び図３に示されるように、二つの当接突起２２，２２は、何れも、コネクタ接続部１４における先細り部１６以外の部分の厚さ（図２の紙面に垂直な方向の寸法）よりも薄い厚さをもって、基板用端子１０の軸方向に延びる長手矩形の平板形状を有している。そして、それら二つの当接突起２２，２２が、基板用端子１０の幅方向（図２の左右方向）両側に位置する二つの側面から、それぞれ所定の高さ：Ｈ１で突出している。また、組付部１８における二つの当接突起２２，２２の形成部位においては、その幅方向の中央部が、コネクタ接続部１４と同一の厚さとされている。
【００２５】
さらに、組付部１８では、二つの当接突起２２，２２が、圧入部２０よりも圧入方向後端側に所定距離を隔てた位置に設けられている。これによって、組付部１８における二つの当接突起２２，２２の形成部位と圧入部２０の形成部位との間に位置する中間部分２４の軸直角断面形状が、前記金属線材と同一の断面形状、即ち、端子保持孔５６と近似の形状で且つ僅かに大きな矩形断面形状とされている。
【００２６】
一方、図３に示される如く、圧入部２０は、厚さ方向で鍛圧されることによって、厚さ方向でコネクタ接続部１４よりも薄肉とされており、軸直角方向の断面形状が扁平な矩形とされている。そのため、図１及び図３に示される如く、圧入部２０と、圧入部２０よりも圧入方向前端側に位置する基板接続部１２との境界部分には、軸直角方向に広がる段差面２６が、圧入部２０の厚さ方向両側にそれぞれ一つずつ位置するように設けられている。そして、そのような各段差面２６，２６と基板接続部１２の外周面との間で形成される略直角な角部が、段差エッジ部２８，２８とされている。
【００２７】
すなわち、基板用端子１０の厚さ方向両側における圧入部２０と基板接続部１２との境界部分に、段差エッジ部２８が、それぞれ一つずつ形成されているのである。また、それら各段差エッジ部２８，２８は、基板接続部１２の周方向に隣り合う側面同士の間で形成される角部と段差面２６とにて構成される、尖った角形エッジ部分３０をそれぞれ二つずつ含んで構成されている。
【００２８】
また、圧入部２０の幅方向両側には、幅方向外方に向かって突出する二つの突出部３２，３２が設けられており、図２に示されるように、圧入部２０の幅方向寸法が中間部分２４および基板接続部１２よりも大きくされている。この突出部３２，３２は、金属角線材における圧入部２０の形成部位が厚さ方向に鍛圧されて、厚さ方向で薄肉の扁平な矩形断面に加工される際に、金属角線材が幅方向外側に膨出変形するのを利用して形成されている。なお、突出部３２の幅方向での突出高さ寸法：Ｈ２は、当接突起２２の幅方向での突出高さ寸法：Ｈ１よりも小さくされている。
【００２９】
また、圧入部２０の厚さ方向両端面は、互いに平行で何れも略平坦な鍛圧面３４，３４とされており、鍛圧面３４，３４にはそれぞれ凹部３６，３６が形成されている。凹部３６は、幅方向に直線的に延びて、圧入部２０の軸方向端面および鍛圧面３４に開口する溝状乃至は切欠き状とされており、鍛圧面３４の軸方向両端において幅方向全長に亘って連続的に設けられている。また、各鍛圧面３４の軸方向両端に凹部３６が形成されていることにより、圧入部２０の軸方向両端部には、凹部３６を外れた軸方向中間部分よりも更に薄肉とされた二つの連接部３８，３８が設けられて、基板接続部１２およびコネクタ接続部１４に連接されている。
【００３０】
ところで、上記の如き構造を有する基板用端子１０は、例えば、以下のようにして製造される。
【００３１】
すなわち、先ず、端子保持孔５６と近似の形状で且つ端子保持孔５６に圧入可能な程度の僅かに大きな矩形の軸直角断面形状を有する金属角線材を準備する。そして、この金属角線材を所定長さに切断して、切断線材４０を得る。
【００３２】
その後、図４に示されるように、切断線材４０に対して、パンチ４２とダイ４４とを用いた公知のプレス成形を行う。ここで用いられるパンチ４２とダイ４４とには、基板用端子１０の組付部１８の外面形状に対応した凹部や凸部が設けられている。そして、パンチ４２とダイ４４は、それらの間に挟まれた切断線材４０に対して、それの厚さ方向において鍛圧（プレス圧）を加えるようになっている。
【００３３】
そのようなパンチ４２とダイ４４とを用いたプレス成形を実施することにより、組付部１８のコネクタ接続部１４側の部位と圧入部２０とを、厚さ方向に押し潰す。これにより、組付部１８のコネクタ接続部１４側の部位に対して、その幅方向、即ちプレス成形時の鍛圧方向と直交する軸直角方向に突出する二つの当接突起２２，２２を形成する。また、それと同時に、組付部１８の圧入部２０を鍛圧方向で薄肉化すると共に、圧入部２０の軸方向両端に一対の凹部３６，３６を設けて二つの連接部３８，３８を形成する。更に、鍛圧方向と直交する軸直角方向に突出する突出部３２，３２を形成する。このようにして、図１〜図３に示される如き構造を有する基板用端子１０を得る。
【００３４】
そのような基板用端子１０は、例えば、図５に示されるように、プリント基板４６上に載置された端子保持台座４８に貫通状態で組み付けられて、保持される。また、そのような保持状態下で、プリント基板４６に搭載されるようになっている。
【００３５】
より具体的には、端子保持台座４８は、プリント基板４６上に立設された一対の脚部５２，５２と、それら脚部５２，５２に架設された天板部５４とを有している。そして、かかる端子保持台座４８の天板部５４には、それを貫通する貫通孔５０の複数が、縦横に並んで位置するように形成されている。
【００３６】
図６及び図７に示されるように、それら各貫通孔５０は、基板用端子１０の挿通方向（端子保持孔５６への圧入方向）の前端側（図６及び図７の下側でプリント基板４６側）に位置する下側略半分からなる下部開口側部分が、端子保持孔５６とされている。この端子保持孔５６は、一定大きさの軸直角断面形状（延出方向に対して直角をなす方向での断面形状）をもって、天板部５４の厚さ方向に真っ直ぐに延びる形態を有している。また、そのような一定大きさの軸直角断面形状が、基板用端子１０の基板接続部１２及びコネクタ接続部１４の軸直角断面形状と近似の形状で且つそれらが圧入可能な程度の僅かに小さな矩形状とされている。そして、かかる端子保持孔５６においては、その延出長さ（図７にＬ１にて示される寸法）が、基板用端子１０の圧入部２０の軸方向長さ（図７にＬ２にて示される寸法）よりも所定寸法だけ長くされている。
【００３７】
また、貫通孔５０は、基板用端子１０の挿通方向後端側（図６及び図７上側）の部分からなる上部開口側部分が、ガイド孔５８とされている。このガイド孔５８は、その軸直角方向での断面積が上方に向かって漸増する、矩形のホッパ形態を有している。即ち、ここでは、貫通孔５０の四つの内面の上部部位が、上方に行くに従って軸直角方向外方に傾斜する傾斜面形態を呈している。
【００３８】
貫通孔５０の端子保持孔５６（下部開口部分）とガイド孔５８（上部開口部分）との間の中間部分には、二つの収容凹部６０，６０が設けられている。それら二つの収容凹部６０，６０は、貫通孔５０への基板用端子１０の挿通状態下で、基板用端子１０の幅方向において対向位置する二つの内面に、それぞれ一つずつ形成されている。各収容凹部６０，６０は、基板用端子１０の組付部１８における幅方向両側の側面に一体形成された当接突起２２，２２よりも、一周り大きな矩形形状を有している。そして、そのような収容凹部６０の内面のうち、貫通孔５０の軸直角方向に広がる内面が、当接突起２２に当接して、係止する係止面６２とされている。
【００３９】
また、貫通孔５０の中間部分には、収容凹部６０，６０の係止面６２，６２と端子保持孔５６の内面との間に、外方に向かって上傾する傾斜面からなる傾斜案内面６４が、それぞれ形成されている。更に、かかる貫通孔５０の中間部分における基板用端子１０の厚さ方向に対向位置する二つの内面は、それらの間の距離が、基板用端子１０の基板接続部１２やコネクタ接続部１４の厚さよりも僅かに小さくされている。
【００４０】
そして、基板用端子１０は、上記の構造を有する貫通孔５０に対して、ガイド孔５８の内面や傾斜案内面６４，６４にて案内されつつ、基板接続部１２の先端の先細り部１６側からスムーズに挿通（挿入）されるようになっている。
【００４１】
貫通孔５０に挿通された基板用端子１０は、基板接続部１２が、端子保持孔５６の下側開口部から下方に突出している。そして、かかる基板接続部１２の先細り部１６が、プリント基板４６を貫通する一方、基板接続部１２の軸方向中間部分が、プリント基板４６上に形成された導電路６６に対して半田付け（図示せず）により固着されて、電気的に接続されるようになっているのである。
【００４２】
また、貫通孔５０に挿通された基板用端子１０は、組付部１８の二つの当接突起２２，２２が貫通孔５０の軸方向中間部に設けられた二つの収容凹部６０，６０内にそれぞれ収容される。そして、各当接突起２２，２２の下面（基板接続部１２側の面）が、各収容凹部６０，６０の係止面６２，６２に係止される。これによって、貫通孔５０内への基板用端子１０の挿入位置、及び端子保持孔５６内への基板用端子１０の圧入位置が、それぞれ軸方向で規定される。これにより、貫通孔５０に挿通された基板用端子１０が、当接突起２２の係止面６２への係止状態からプリント基板４６側に変位して、かかる基板用端子１０の端子保持孔５６への圧入位置が変化することが阻止されるようになっている。これは、端子保持台座４８への基板用端子１０の組付状態下で、図示しない相手コネクタに対して、基板用端子１０のコネクタ接続部１４を接続する際に、基板用端子１０を所定位置に維持させるのに有効となる。
【００４３】
そして、上記のような各当接突起２２，２２の各収容凹部６０，６０内への収容下において、基板用端子１０の組付部１８の圧入部２０が、端子保持孔５６に圧入される。また、ここでは、端子保持孔５６の延出長さ：Ｌ１が、基板用端子１０の圧入部２０の軸方向長さ：Ｌ２よりも長くされている。そのため、端子保持孔５６への圧入部２０の圧入状態下で、基板用端子１０の圧入部２０を間に挟んで軸方向両側に位置する、組付部１８の中間部分２４と基板接続部１２の先細り部１６側とは反対側の端部とが、それらの全周において、端子保持孔５６の内周面に圧接するように、端子保持孔５６に圧入される。また、組付部１８の二つの当接突起２２，２２の形成部位における厚さ方向両側面（二つの当接突起２２，２２の幅方向間に位置する部位の厚さ方向両側面）が、貫通孔５０の軸方向中間部の内周面に圧接される。これによって、基板用端子１０の圧入部２０を含む軸方向中間部と端子保持孔５６の内周面を含む貫通孔５０の内周面との間で、基板用端子１０の軸方向中間部の全長に亘って、十分に大きな摩擦抵抗力が生ずるようになっている。
【００４４】
しかも、基板用端子１０の端子保持孔５６への圧入状態下において、圧入部２０の二つの突出部３２，３２が、端子保持孔５６の互いに対向する一対の内面に対して大きな押圧力を及ぼすようになる。これにより、それら各突出部３２，３２の先端面と端子保持孔５６の内面との間に、更に一段と大きな摩擦抵抗力が発生し、且つ各突出部３２，３２が、端子保持孔５６の内面に係合した状態で、端子保持孔５６の内面に圧接される。
【００４５】
このように、基板用端子１０の端子保持孔５６への圧入状態では、圧入部２０を含む軸方向中間部が、端子保持孔５６の内周面を含む貫通孔５０の内周面に対して、より大きな圧力で圧接されることにより生ずる大きな摩擦抵抗力と、各突出部３２，３２の端子保持孔５６の内面に対する係合作用との相互作用によって、圧入部２０の端子保持孔５６からの引抜き抗力（軸方向の位置決め力）が、十分な大きさにおいて効果的に確保されるようになっている。
【００４６】
特に、基板用端子１０では、圧入部２０における各鍛圧面３４にそれぞれ凹部３６，３６が形成されていることにより、凹部３６，３６の体積分に応じた金属材料が、幅方向外側に突出する突出部３２，３２の突出高さの増大に寄与している。その結果、突出部３２，３２の先端面と端子保持孔５６の内周面とがより大きな力で圧接されることから、それらの間により大きな摩擦抵抗力が作用して、基板用端子１０の端子保持孔５６からの引抜き抗力がより大きく確保される。
【００４７】
しかも、凹部３６，３６が、各鍛圧面３４の軸方向端部に形成されていることにより、圧入部２０の鍛圧時に、凹部３６，３６の体積に応じた金属材料の軸方向外側への延出しが、パンチ４２およびダイ４４によって阻止される。これにより、突出部３２，３２の軸直角方向外側（幅方向外側）への突出量がより効率的に増大されて、基板用端子１０の端子保持孔５６からの引抜き抗力を有利に得ることが出来る。
【００４８】
さらに、突出部３２，３２の突出高さを大きく得るために設けられる凹部３６，３６が、圧入部２０における鍛圧面３４，３４に開口するように形成されていることにより、圧入部２０の鍛圧と同時に凹部３６，３６を形成することが可能である。これにより、凹部３６，３６の形成工程を追加する必要がなく、製造工程の煩雑化を回避して、製造コストが増大するのを防ぐことが出来る。
【００４９】
また、圧入部２０における各鍛圧面３４には、それぞれ２つの凹部３６，３６が設けられており、圧入部２０の凹部３６の形成部位（連接部３８）における軸直角方向での断面形状が、基板用端子１０の中心軸に対して厚さ方向および幅方向で対称な形状とされている。これにより、基板用端子１０が端子保持孔５６に圧入される際にモーメントの発生が防止されて、基板用端子１０の座屈変形が回避される。
【００５０】
また、基板用端子１０に貫通孔５０から引き抜く方向の外力が及ぼされた場合には、返りの機能が発揮されるようになっており、段差エッジ部２８，２８が端子保持孔５６の内周面に食い込むように引っ掛かって、係止する。しかも、各段差エッジ部２８，２８は、尖った形状を呈する角形エッジ部分３０をそれぞれ二つずつ有しており、それらの角形エッジ部分３０が、端子保持孔５６の内周面に対して、より確実に係止する。これらによって、圧入部２０の端子保持孔５６からの引抜き抗力が、より一層大きくされている。
【００５１】
次に、図８には、本発明に従う構造を有する基板用端子の第二の実施形態として、自動車用電気接続箱内に収容されるプリント基板用の端子が、その斜視形態において示されている。なお、以下の説明において、第一の実施形態に示された基板用端子１０と実質的に同一の部材および部位については、図中に同一の符号を付すことで説明を省略する。
【００５２】
図８から明らかなように、本実施形態の基板用端子８０は、前記第一の実施形態の基板用端子１０と同様に、全体として、細長い四角柱形状を有しており、金属角線材を切断してなる切断線材４０によって形成されている。また、基板用端子８０は、基板接続部１２とコネクタ接続部１４と組付部８２とを一体的に備えた構造とされている。
【００５３】
組付部８２は、図９に示されているように、軸方向で離間して設けられた当接突起２２，２２と圧入部８４，８４を含んで構成されている。圧入部８４は、切断線材４０の軸方向中間の一部を厚さ方向に鍛圧して扁平に加工することで形成されており、厚さ方向で切断線材４０よりも薄肉とされていると共に、幅方向で切断線材４０よりも幅広とされて、幅方向両側に突出する二つの突出部８６，８６が設けられている。
【００５４】
また、圧入部８４の厚さ方向両面が略平坦な鍛圧面８８，８８とされていると共に、図９，１０に示されているように、各鍛圧面８８の幅方向略中央には、凹部９０が形成されている。凹部９０は、鍛圧面８８に開口して、略一定の断面形状で軸方向全長に亘って連続的且つ直線的に延びる溝状とされている。また、凹部９０は、軸直角方向の断面（図１０参照）において鍛圧面８８への開口部側に向かって次第に拡幅するＶ字形態とされており、圧入部８４における凹部９０の形成部位が、幅方向中央に向かって次第に薄肉となっている。
【００５５】
そして、圧入部８４を備えた基板用端子８０は、プリント基板４６上に載置された端子保持台座４８に貫通状態で組み付けられて、保持される。また、そのような保持状態で、プリント基板４６に搭載されるようになっている。即ち、基板用端子８０は、前記第一の実施形態の基板用端子１０と同様に、端子保持台座４８に設けられた貫通孔５０に対して、基板接続部１２の先端の先細り部１６側からスムーズに挿通（挿入）されるようになっている。
【００５６】
貫通孔５０に挿通された基板用端子８０の組付部８２の圧入部８４は、端子保持孔５６に圧入される。なお、端子保持孔５６の延出長さ：Ｌ１は、基板用端子８０の圧入部８４の軸方向長さ：Ｌ３よりも長くされており、圧入部８４の幅方向両端面が軸方向全長に亘って端子保持孔５６の内周面に圧接されていると共に、中間部分２４および基板接続部１２の軸方向内側端部とが端子保持孔５６の内周面に圧接されている。これらにより、基板用端子８０の軸方向中間部分と、端子保持孔５６の内周面を含む貫通孔５０の内周面との間で、十分に大きな摩擦抵抗力が作用するようになっている。
【００５７】
また、基板用端子８０の貫通孔５０への圧入状態では、圧入部８４の二つの突出部８６，８６が、端子保持孔５６の互いに対向する一対の内面に対して大きな押圧力を及ぼすようになる。これにより、それら各突出部８６，８６と端子保持孔５６の内面との間で、より大きな摩擦抵抗力が発生すると共に、各突出部８６，８６が端子保持孔５６の内面に対して係合状態で圧接される。
【００５８】
これらによって、基板用端子８０には、軸方向中間部分の端子保持孔５６内面への圧接による大きな摩擦抵抗力と、突出部８６，８６の端子保持孔５６内面への係合作用とに基づいて、端子保持孔５６からの引抜き抗力（軸方向の位置決め力）が十分な大きさで及ぼされるようになっている。
【００５９】
特に、基板用端子８０の圧入部８４では、鍛圧面８８，８８に開口する凹部９０，９０が設けられており、凹部９０，９０の体積に応じた分だけ突出部８６，８６の突出高さ寸法（幅方向寸法）が大きくなっている。これにより、突出部８６，８６の先端面と端子保持孔５６の内面との押圧力が大きくなって、基板用端子８０と端子保持孔５６の間に作用する引抜き抗力が増大するようになっている。
【００６０】
しかも、凹部９０，９０が圧入部８４の軸方向全長に亘って延びる溝状とされていることにより、基板用端子８０の貫通孔５０への圧入時に、圧入力による軸方向の応力が集中的に作用するのを防ぐことが出来て、座屈変形を回避することが出来る。
【００６１】
さらに、凹部９０，９０が厚さ方向外側に向かって次第に幅方向で拡開する軸直角断面形状を有している。これにより、特に厚さ方向外側の端部において突出部８６，８６の突出高さがより一層大きくなり得て、基板用端子８０の貫通孔５０に対する抜けや軸方向での位置ずれがより効果的に防止される。
【００６２】
更にまた、凹部９０，９０が圧入部８４の厚さ方向両側に形成されており、圧入部８４が、基板用端子８０の中心軸に対して、厚さ方向および幅方向の何れにおいても対称となる軸直角方向の断面形状を有している。それ故、圧入力の作用によるモーメントの発生が低減乃至は回避されて、基板用端子８０の圧入部８４における座屈変形が防止される。
【００６３】
以上、本発明の実施形態について詳述してきたが、本発明はその具体的な記載によって限定されない。例えば、前記第一の実施形態では、圧入部２０の軸方向両端に凹部３６が形成されているが、凹部３６は、圧入部２０の軸方向何れか一端にのみ形成されていても良いし、軸方向中間部に形成されていても良い。また、前記第二の実施形態に示された凹部９０は、耐荷重性を確保するために圧入部８４の中央に設けられていることが望ましいが、中央を外れていても良く、例えば、各鍛圧面８８に複数の凹部９０を幅方向で離隔して形成することも出来る。
【００６４】
また、凹部の形態は、必ずしも溝状に限定されるものではなく、例えば、部分的な凹みを１つ乃至は複数形成することによって、凹部が設けられていても良い。
【００６５】
基板用端子の形成材料として用いられる金属線材は、適宜に変更され得るものである。前記実施形態では、端子保持孔５６と近似の矩形軸直角断面を有する金属線材が採用されていたが、本発明では、端子保持孔と相似の断面形状を有する金属線材や、端子保持孔と異なる断面形状（円形断面や異形断面等を含む）の金属線材の何れも採用可能である。
【００６６】
本発明は、例示された自動車用電気接続箱内に収容されるプリント基板用の端子以外の基板用端子にも、有利に適用可能である。
【符号の説明】
【００６７】
１０，８０：基板用端子、２０，８４：圧入部、３２，８６：突出部、３４，８８：鍛圧面、３６，９０：凹部、４８：端子保持台座（端子保持具）、５６：端子保持孔
【図１】
0005578315.tif 000002
【図２】
0005578315.tif 000003
【図３】
0005578315.tif 000004
【図４】
0005578315.tif 000005
【図５】
0005578315.tif 000006
【図６】
0005578315.tif 000007
【図７】
0005578315.tif 000008
【図８】
0005578315.tif 000009
【図９】
0005578315.tif 000010
【図１０】
0005578315.tif 000011
【図１１】
0005578315.tif 000012